(57)【要約】【課題】  パネル板で風を受け、室内に自然の風を取り込むための器具を提供する。【解決手段】  方形枠を形成する上下枠先端の穴に、支柱を介してパネル板を左右にスライド可能に取り付け、方形枠の終端側の縦右枠を窓枠等の固定部に取り付け、前記パネル板に規制具を設けて、パネル板に角度が付くようにさせ、屋外を吹く左右からの風を受けるとパネル板が右左にスライドすることにより自動的に角度が付き、パネル板に当たった風の全てを室内へ取り込むことを特徴とする。【選択図】      図１
2005201049.tif 000002
【特許請求の範囲】
【請求項１】
方形枠を形成する上下枠先端の穴に支柱を介してパネル板を左右にスライド可能に取り付け、方形枠の終端側の縦枠を窓枠等の固定部に取り付け、前記パネル板に規制具を設けて、パネル板に角度が付くようにさせ、風を左右から受けるとパネル板が右左にスライドすることにより自動的に角度がつき、パネル板に当たった風を室内へ取り込む器具。
【発明の詳細な説明】
【技術分野】
【０００１】  本発明は、方形枠を形成する上下枠先端の穴に、パネル板を備え付けた支柱を差し込み、パネル板に角度を付ける為に、パネル板と方形枠の終端縦右枠を窓枠等の固定部に取り付け、前記パネル板に規制具を設けて、屋外を吹く左右からの風を自動的に室内へ取り込む器具に関するものである。
【背景技術】
【０００２】  従来、窓のガラス面を室内側から押すと、支軸が伸び、ガラス面が左から右方向へ突き出し、窓自体の開閉で風を取り込むタイプの窓及び窓枠、また、下方向から上方向へ突き出すひさしのようなすべり出し窓などとして知られており、いずれも窓ないし窓枠の技術によって、風の室内への流入量をコントロールしていた。
【発明の開示】
【発明が解決しようとする課題】
【０００３】  従来の器具には、次のような問題点があった。
上述のうち、上下開放のタイプの窓にあっては、窓の上下開閉のため、窓に直角に吹く風しか取らえられず、また、左右の風を捕らえる装置になっておらず室内に取り込む風の量も大きく制限されていた。
本発明は以上の問題点を解決するためになされたものである。
【課題を解決するための手段】
【０００４】  方形枠を形成する上下枠先端の穴に、支柱を介してパネル板を左右にスライド可能に取り付け、方形枠の終端側の縦右枠を窓枠等の固定部に取り付け、前記パネル板に規制具を設けて、パネル板に角度が付くようにさせ、屋外を吹く左右からの風を受けるとパネル板が右左にスライドすることにより自動的に角度が付き、パネル板に当たった風の全てを室内へ取り込む。
本発明は、以上のような構成よりなる室内に風を取り込む器具である。
【発明の効果】
【０００５】  この器具は屋外を吹く左右からの風をパネル板で受け、網戸を通して室内に風を取り込むもので、左右からの風を受けるとパネル板が右左にスライドすることにより自動的に角度が付き、パネル板に当たった全ての風を室内に取り込むことが出来る。
室内に自然の風を取り込むことにより、さわやかな涼を得る事ができ、節電に役立ち、気密性による弊害もなくなり、健康にも良く、快眠を促し、窓の中央に設置するため防犯にも役立ち、室内に虫が入らず快適に過ごすことが出来る。
【発明を実施するための最良の形態】
【０００６】  以下、図を参照しつつ本発明の実施例について説明する。
（イ）図１は本発明の一実施例を示す斜視図であるが、支柱（２）とパネル板（１）を固定する。パネル板（１）は屋外の風を左右方向に受けとめて室内に取り込むための板であるため、ある程度の堅さと軽さを兼ね備えたプラスチック板で２層に一体成形したパネルが望ましい。
（ロ）支柱（２）とパネル板（１）の固定方法は、パネル板（１）の２層の穴に支柱（２）を通し固定する（図４参照）。
（ハ）方形枠の上下枠（３）（３３）の各々の先端の穴（４）（４４）に、パネル板（１）を備え付けた支柱（２）を差し込み、支柱（２）が抜け落ちないように支柱落下防止金具（５）を取り付ける。
この支柱落下防止金具（５）は方形枠の上下枠（３）（３３）の各々の先端の穴に（４）（４４）に差し込んだパネル板（１）付きの支柱（２）が、枠から脱落することのないように、終端固定の役割を担うものである。
（ニ）支柱（２）と上下枠（３）（３３）左右枠（６）（６６）の材質は軽量で雨・熱に強い材質を使用する。
（ホ）パネル板（１）と終端側の右枠（６６）の上下２ケ所に屋外を吹く左右からの風を全て室内に取り込むための自動角度調整器具（７）（７７）を取り付ける。
（ヘ）自動角度調整器具（７）（７７）の構造はパネル板（１）側のＳ管（７ａ）（７７ａ）と終端側の右枠（６６）側のフックボルト（７ｂ）（７７ｂ）を鎖（７ｃ）（７７ｃ）でつないだものである（図５参照）。
（ト）自動角度調整器具（７）（７７）の取り付け方法は、パネル板（１）と終端側の右枠（６６）の上下１０センチほどの所に穴を開け、鎖（７ｃ）（７７ｃ）をたるませてつなぐ。
（チ）鎖（７ｃ）（７７ｃ）は風により引っ張られたり、たるんだりする為、ボールチェインが望ましい。
（リ）この器具は窓枠に取り付けた上下受け金具（８）（８８）と終端側の右枠（６６）上下２ケ所をボルトで固定する。
（ヌ）パネル板（１）を方形枠の中に安定させ、左右の風でスムーズにパネル板（１）が右左にスライドする為に、ストッパー（９）を下枠（３３）とパネル板（１）の下部の支柱（２）にはめる。
（ル）ストッパー（９）の構造は支柱（２）にはめる円柱で、支柱（２）より太く縦に割れ目を付け、横から押しはめるもので、長さが３センチほどのプラスチック製です（図６参照）。
（ヲ）この器具は台風など異常時には簡単に取り外しが出来る構造になっている。
（ア）取り外し方法は鎖（７ｃ）（７７ｃ）をフックボルト（７ｂ）（７７ｂ）からはずし、次にストッパー（９）を支柱（２）から横に引っ張りはずす、支柱（２）を下枠（３３）の上まで持ち上げ横にずらせばパネル板（１）が簡単に外せる。
本発明は以上のような構造で、これを使用するときは、窓を開け網戸状態にし、網戸に向かって中央の窓枠に取り付けた上下受け金具（８）（８８）に方形枠の終端側右枠（６６）２ケ所をボルトで固定し、屋外を吹く左右の風を受けパネル板（１）が右左にスライド遊動することにより、自動的に角度が付き、パネル板（１）に当たった風の全てを室内に取り込む事が出来る。
【他の実施例】
【０００７】  従来の器具は、室内から窓枠に取り付けた取っ手を握り、前に押すとガラス面の両サイドの支軸が伸び、ガラス面がひさしのように突き出し窓が開くしくみになっている（図８参照）。
【図面の簡単な説明】
【０００８】
【図１】本発明の斜視図
【図２】本発明の上から見た図（左手からの風でパネル板が右手にスライド）
【図３】本発明の上から見た図（右手からの風でパネル板が左手にスライド）
【図４】本発明の部分拡大図（支柱を通したパネル板を上部から見た図）
【図５】本発明における自動角度調整器具を側面から見た図
【図６】本発明の部分拡大図（ストッパーを支柱に取り付けた側面図）
【図７】本発明の全景図
【図８】本発明の他の実施例を示す斜視図
【符号の説明】
【０００９】  １    パネル板
２    支柱
３    上下枠
３３    上下枠
４    穴
４４    穴
５    支柱落下防止金具
６    左右枠
６６    左右枠
７    自動角度調整器具
７７    自動角度調整器具
７ａ  Ｓ管
７ｂ  フックボルト
７ｃ  鎖
８    上下受け金具
８８    上下受け金具
９    ストッパー
【図１】
2005201049.tif 000003
【図２】
2005201049.tif 000004
【図３】
2005201049.tif 000005
【図４】
2005201049.tif 000006
【図５】
2005201049.tif 000007
【図６】
2005201049.tif 000008
【図７】
2005201049.tif 000009
【図８】
2005201049.tif 000010